(57)【要約】    【課題】  廃棄物処分場での浸出水の拡散を防止する。    【解決手段】  廃棄物処分場の凹面の底面１０Ａ上には、下から順に、下遮水シート２１、格子状に配した長尺材２２、吸水性のある自己修復材２３Ｘ、上遮水シート２４が配されている。完成してしばらくたつと、自己修復層２３は長尺材２２で支持されている部分を残して沈み込み、長尺材２２が作る格子の内側が窪む。この状態で、上遮水シート２４に破損２４Ｘが生じ、且つ降雨があると、浸出水Ｗはその窪みに溜まり、拡散することなく自己修復材２３Ｘに吸水される。【選択図】    図６
2005230786.tif 000002
【特許請求の範囲】
【請求項１】
廃棄物投棄用の凹面を備えており、且つ前記凹面の上に、
前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層を備えている、廃棄物処分場であって、
前記遮水層の下遮水シートと自己修復層の間には、所定の間隔を空けて、長尺材が敷設されている、
廃棄物処分場。
【請求項２】
前記長尺材は、所定の目の格子状に敷設されている、
請求項１記載の廃棄物処分場。
【請求項３】
前記自己修復材は矩形であり、前記目は、矩形の自己修復材に隠れる大きさ、形状の矩形となっている、
請求項２記載の廃棄物処分場。
【請求項４】
前記長尺材は、膨潤ゴムにより構成されている、
請求項１〜３のいずれかに記載の廃棄物処分場。
【請求項５】
廃棄物投棄用の凹面を備えており、且つ前記凹面の上に、
前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層を備えている、廃棄物処分場であって、
前記自己修復層の内部には、他の部分よりも固い材料で形成された長尺材が所定の間隔で設けられている、
廃棄物処分場。
【請求項６】
前記長尺材は、所定の目の格子状に設けられている、
請求項５記載の廃棄物処分場。
【請求項７】
前記長尺材は、膨潤ゴムにより構成されている、
請求項５又は６のいずれかに記載の廃棄物処分場。
【請求項８】
前記長尺材は、前記自己修復材のうちの少なくとも一部の周縁部に沿うようにして配されている、
請求項５記載の廃棄物処分場。
【請求項９】
前記自己修復材は矩形であり、且つ前記長尺材は当該自己修復材の４辺に沿うようにして配されている、
請求項５記載の廃棄物処分場。
【請求項１０】
前記長尺材の前記自己修復材の厚さ方向の長さは、当該自己修復材の厚さと略等しくされている、
請求項８又は９記載の廃棄物処分場。
【請求項１１】
廃棄物投棄用の凹面を備えた廃棄物処分場の前記凹面の上に設けられるものであり、
前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層であって、
前記遮水層の下遮水シートと自己修復層の間には、所定の間隔を空けて、長尺材が敷設されている、
遮水層。
【請求項１２】
廃棄物投棄用の凹面を備えた廃棄物処分場の前記凹面の上に設けられるものであり、
前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層であって、
前記自己修復層の内部には、他の部分よりも固い材料で形成された長尺材が所定の間隔で設けられている、
遮水層。
【発明の詳細な説明】
【技術分野】
【０００１】
本発明は、廃棄物投棄用の凹面に投棄された廃棄物に雨水が含浸するのを抑制する技術に関する。
【背景技術】
【０００２】
廃棄物処分場は、地面を掘り下げ、或いは揚壁を構築するなどして設けられた凹面を備えている。廃棄物は、この凹面に順次投棄される。
【０００３】
ところで、廃棄物処分場では、凹面内に投棄された廃棄物に雨水が降ることによって生じる浸出水が、凹面から外部の土壌に漏水しないようにすることが極めて重要となっている。
浸出水の漏水防止のために最も汎用されているのが、凹面の表面全体を覆う遮水層を設ける技術である。この遮水層は、凹面の表面全体に遮水シートを敷設することで作られる。合成樹脂遮水シートやゴム遮水シートよりなる高い遮水性能を有する遮水シートを凹面の全体に敷設することによって、浸出水の外部への漏水を防止するのである。
【０００４】
特に近年では、浸出水の外部への漏水防止の要求が高くなっているため、上述の如き遮水シートを２枚重ねにして用いる技術、或いはその２枚重ねされた遮水シートの間に吸水性の非常に高い自己修復材（例えば、ベントナイトを含むマット、マット状の膨潤ゴム）を更に配する技術が実用化されている。
２枚重ねされた遮水シートの間に自己修復材を配する技術は、廃棄物と触れる上側の遮水シートが万が一破損した場合であっても、その破損部分を通り抜けた浸出水を自己修復材で吸取ることができるから、理論上非常に優れたものである。
【０００５】
しかしながら、この技術が実際上機能しない場合がある。それは、以下のような理由による。
２枚重ねされた遮水シートの間に自己修復材を配した構造は、簡単にいうと、廃棄物処分場の凹面に下側の遮水シートを配する、次いでその上に自己修復材を配する、次いでその上に上側の遮水シートを配するという工程を実行することで作られる。
このとき、自己修復材を配してから、上側の遮水シートを配するまでの間、自己修復材は野晒しの状態になる。その状態で降雨があると、自己修復材は吸水を行ってしまい、その後使い物にならなくなってしまうので、自己修復材の表面には、それほど高くはないものの遮水性を持つフィルムが貼られているのが通常である。このフィルムにより、多少の降雨では自己修復材に雨水が到達しないようにするのである。
上述のフィルムがあれば、確かに、自己修復材を配してから、上側の遮水シートを配するまでの間の降雨によって、自己修復材が使い物にならなくなるという事態は避けられる。
しかしながら、そのフィルムがあるせいで、廃棄物の投棄が始まった後の吸水の機能を発揮しなければならない場面で、自己修復材が十分にその機能を発揮できなくなるおそれが生じてしまう。上述のフィルムがあると、破損した上側の遮水シートのその破損部分を通り抜けてきた浸出水は、廃棄物処分場の凹面にある傾斜や、遮水シートの皺、或いは自己修復材にある皺乃至凹凸などに沿って、自己修復材の上面に貼られたフィルムの上面に沿って広がり、なかなか自己修復材に到達しないことがあるからである。
このような浸出水の拡散は、遮水シートの破損があった場所以外にも浸出水が存在することになるため、好ましくない。
【発明の開示】
【発明が解決しようとする課題】
【０００６】
本発明は、かかる課題を解消するものであり、２枚重ねの遮水シートを凹面内に有する廃棄物処分場における浸出水の拡散を防止できる技術を提供することを、その課題とする。
【課題を解決するための手段】
【０００７】
上述の課題は、以下の本願発明によって解決される。本願発明は、以下の第１の発明、第２の発明の２つに大別される。
【０００８】
第１の発明は、廃棄物投棄用の凹面を備えており、且つ前記凹面の上に、前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層を備えている、廃棄物処分場である。
そして、この廃棄物処分場の前記遮水層の下遮水シートと自己修復層の間には、所定の間隔を空けて、長尺材が敷設されている。
この廃棄物処分場は、従来の廃棄物処分場と同様に、下遮水シート、自己修復層、上遮水シートを備えた遮水層を備えている。のみならず、その遮水層中に、長尺材が設けられている。この長尺材の存在が、上述の課題を解決するのである。
廃棄物の投棄が始まると、この遮水層中の自己修復層は、廃棄物の重みによって長尺材に載った部分を残して沈み込んだ状態となる。つまり、自己修復層は、長尺材と長尺材の間の部分が沈み込んで、所々に凹部が形成された状態となるのである。
この状態で上遮水シートに破損が生じ、その後降雨があると、上遮水シートの破損部分から遮水層の中に入り込んだ雨水（浸出水）は、自己修復層の凹部に溜まることになる。この浸出水はしばらくそこに留まるので、それほど高くはないものの遮水性を持つフィルムが自己修復層の表面にたとえ存在していたとしても、そのフィルムを透過して自己修復層の内部に到達することができる。したがって、この廃棄物処分場であれば、浸出水を拡散させることなく、自己修復層で吸水させることができるようになる。
【０００９】
第１の発明における前記長尺材は、下遮水シートの上にどのように配置されていてもよい。例えば、平行に多数本敷設されてもよいし、或いは、所定の目の格子状に敷設されていてもよい。なお、この明細書でいう「格子状」という言葉は、目の形が正方形の場合のみならず、矩形の場合や、その他多角形の場合も含むものとする。
長尺材を格子状に配置すると、自己修復層の上述の凹部は各格子の目の内側にできることになる。したがって、上遮水シートの破損部分から遮水層の中に入り込んだ雨水（浸出水）は、その位置にある格子の目の内側に溜まり、そこから拡散しなくなる。
第１の発明における長尺材は、一定以上の長さを持つものであれば、どのような長さ、断面形状であっても構わない。長尺材の断面形状は、例えば、矩形、略円形状、略Ｃ字形状、略コの字形状、略Ｌ字形状などとすることができる。また、中空にすることもできる。長尺材は、断面形状に関して言えば、その高さが、自己修復層に上述の凹部を形成させるに十分なものであればよい。
第１の発明における長尺材の素材については、特に制限はない。例えば、長尺材は膨潤ゴムにより構成することができる。  
【００１０】
第１の発明における自己修復材は、それを下遮水シートの上に置くことで、自己修復層を形成するものである。例えば、ベントナイトや、高吸水性樹脂（例えば、アクリル酸の誘導品であるＳＡＰ）を織布ないし不織布で挟み込んだもの、或いは、膨潤ゴムをマット状に成形したものなどを、自己修復材として用いることができる。
自己修復材の形状、大きさはどのようなものでも構わない。例えば、矩形に形成することができる。この場合に、長尺材を格子状に配するのであれば、上述した目を、矩形の自己修復材に隠れる大きさ、形状とすることができる。
【００１１】
第１の発明は、また、廃棄物投棄用の凹面を備えた廃棄物処分場の前記凹面の上に設けられるものであり、前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復材層の上に敷設された、遮水性を有するシートである上遮水シートと、を含む遮水層であって、前記遮水層の下遮水シートと自己修復層の間には、所定の間隔を空けて、長尺材が敷設されている、遮水層をも提供する。
【００１２】
第２の発明は、以下のようなものである。
第２の発明は、廃棄物投棄用の凹面を備えており、且つ前記凹面の上に、前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層を備えている、廃棄物処分場である。そして、前記自己修復層の内部には、他の部分よりも固い材料で形成された長尺材が所定の間隔で設けられている。
第２の発明による廃棄物処分場は、従来の廃棄物処分場と同様に、下遮水シート、自己修復層、上遮水シートを備えた遮水層を備えている。のみならず、その遮水層の自己修復層中に、長尺材を備えている。この長尺材の存在が、上述の課題を解決するのである。
廃棄物の投棄が始まると、この遮水層中の自己修復層は、廃棄物の重みによって長尺材の部分を残して沈み込んだ状態となる。つまり、自己修復層は、長尺材と長尺材の間の部分が沈み込んで、所々に凹部が形成された状態となるのである。
この状態で上遮水シートに破損が生じ、その後降雨があると、上遮水シートの破損部分から遮水層の中に入り込んだ雨水（浸出水）は、自己修復層の凹部に溜まることになる。これにより、第１の発明の場合と同様に、浸出水を拡散させることなく、自己修復層で吸水させることができるようになるのである。
【００１３】
第２の発明における前記長尺材は、自己修復層の内部にどのように配置されていてもよい。例えば、平行に多数本設けられていてもよいし、或いは、所定の目の格子状に設けられていてもよい。
長尺材を格子状に配置すると、自己修復層の上述の凹部は各格子の目の内側にできることになる。したがって、上遮水シートの破損部分から遮水層の中に入り込んだ雨水（浸出水）は、その位置にある格子の目の内側に溜まり、そこから拡散しなくなる。
第２の発明における長尺材は、第１の発明の場合と同様に、どのような長さ、断面形状であっても構わない。第２の発明の長尺材の場合、断面形状に関して言えば、その高さが、自己修復層に上述の凹部を形成させるに十分なものであればよい。例えば、前記長尺材の前記自己修復材の厚さ方向の長さは、当該自己修復材の厚さと略等しくされていてもよい。
第２の発明における前記長尺材は、前記自己修復材のうちの少なくとも一部の周縁部に沿うようにして配されていてもよい。このような自己修復材を多数下遮水シートの上に配置すれば、自己修復層の内部に長尺材を自動的に配置できることになる。
第２の発明でも、長尺材の素材については、特に制限はない。例えば、長尺材は膨潤ゴムにより構成することができる。  
【００１４】
第２の発明における自己修復材は、第１の発明の場合と同様のもので構成することができる。つまり、ベントナイトや、高吸水性樹脂（例えば、アクリル酸の誘導品であるＳＡＰ）を織布ないし不織布で挟み込んだもの、或いは、膨潤ゴムをマット状に成形したものなどを、自己修復材として用いることができる。
第２の発明における自己修復材の形状、大きさはどのようなものでも構わない。例えば、矩形に形成することができる。この場合に、長尺材を格子状に配するのであれば、上述した目を、矩形の自己修復材に隠れる大きさ、形状とすることができる。この場合、前記長尺材は、矩形の自己修復材の４辺に沿うようにして配することができる。
【００１５】
第２の発明は、廃棄物投棄用の凹面を備えた廃棄物処分場の前記凹面の上に設けられるものであり、前記凹面の少なくとも一部を覆うようにして敷設された、遮水性を有するシートである下遮水シートと、前記下遮水シートの上に敷設された、吸水性を持つマット状にされた複数の自己修復材によって形成された自己修復層と、前記自己修復層の上に敷設された、遮水性を有するシートである上遮水シートと、を含む遮水層であって、前記自己修復層の内部には、他の部分よりも固い材料で形成された長尺材が所定の間隔で設けられている、遮水層をも提供する。
【００１６】
なお、第１の発明による遮水層、第２の発明による遮水層はともに、必ずしも凹面の全面について設けられる必要はない。例えば、凹面の一部について、本願の第１の発明による遮水層、又は第２の発明による遮水層を設け、他の部分について従来の遮水層を設けることなどが可能である。
【発明を実施するための最良の形態】
【００１７】
以下、本発明の好ましい第１、第２実施形態を、図面を参照しながら詳細に説明する。
【００１８】
≪第１実施形態≫
この実施形態では、廃棄物投棄用の凹面１０に遮水層２０を設けることで、図５に示したような廃棄物処分場１００を構築する方法について説明するとともに、最終的に完成した廃棄物処分場１００の構成を説明することとする。
【００１９】
図１に示したのが、廃棄物投棄用の凹面１０である。この実施形態における凹面１０は、平面である底面１０Ａと、斜面である法面１０Ｂとを備えている。この実施形態における凹面１０は、地面を掘り下げることによって形成されている。もっとも、凹面１０は、これに限らず、底面の周りに、所定高さの揚壁を構築することなどによって形成してもよい。また、凹面１０の表面は、この実施形態ではコンクリートで覆われている。
【００２０】
この実施形態における凹面１０に、まず、下遮水シート２１が敷設される（図２）。この実施形態における下遮水シート２１は、凹面１０の全面を覆うようになっている。
下遮水シート２１は、これには限られないが、この実施形態では、遮水性能を有する樹脂製のシートによって形成されている。下遮水シート２１を形成するシートの厚さは、この実施形態では１．５ｍｍである。もっともこの厚さは、１〜３ｍｍ程度の範囲で適当に決めればよい。また、下遮水シート２１は、この実施形態では矩形とされた複数のシートを接続してできている。
【００２１】
次いで、この下遮水シート２１の上に、長尺材２２を敷設する。
この実施形態では、長尺材２２は、凹面１０の底面１０Ａに対応する下遮水シート２１の上に配される。
この実施形態では、長尺材２２は、ある方向に、所定の間隔を空けつつ平行に複数本、またその方向に垂直な方向に、所定の間隔を空けつつ平行に複数本配することで、矩形の目をもつ格子状に配されている。もっとも、長尺材２２は、必ずしもこのように配される必要はなく、例えば、ある方向に、所定の間隔を空けつつ平行に複数本配するだけでもよいし、目の形が平行四辺形となるようになっていても構わない。長尺材２２が配された凹面１０の底部１０Ａに対応する部分の一部の平面図を、図３に示す。格子の目の大きさは、これには限られないが、この実施形態では、長辺が１．５〜３ｍ、短辺が１〜２ｍとなるようにされている。
長尺材２２は、この実施形態では、その一辺が１ｃｍ程度の正方形の断面を有するものとなっている。もっとも、長尺材２２の断面形状は、矩形、略円形状、略Ｃ字形状、略コの字形状、略Ｌ字形状などとすることができ、中空にすることもできる。断面が円形の場合、長尺材２２は、直径０．５〜２ｃｍ程度とすることができる。
この実施形態における長尺材２２は、必ずしもそうである必要はないが、膨潤ゴムでできている。
【００２２】
次いで、下遮水シート２１の全面を覆うように、自己修復層２３を形成する（図４）。自己修復層２３は、下遮水シート２１の上に自己修復材２３Ｘを多数敷設することで形成する。なお、自己修復材２３Ｘは、凹面１０の底面１０Ａに対応する部分では、正確にいうと、下遮水シート２１の上に配された長尺材２２の上に配されることになる。
この実施形態における自己修復材２３Ｘは、高吸水性材料を不織布で挟み込み、さらにその不織布の露出する両面を透水性のそれほど大きくないフィルムでコーティングしたものとされている。より詳細には、この実施形態では、泉株式会社が販売するコスモバリアス（商標）を自己修復材２３Ｘとして用いることとしている。なお、これに代えて、自己修復材２３Ｘとして、高吸水性材料を織布で挟み込んだもの、ベントナイトを織布ないし不織布で挟み込んだもの（丸紅テツゲン株式会社が販売するベントフィックス（商標）など）、膨潤ゴムをマット状に成形したものを用いてもよい。
なお、この実施形態における自己修復材２３Ｘは、矩形であり、且つその大きさは、長尺材２２が作る上述の目を隠せる程度には大きなものとなっている。この実施形態の自己修復材２３Ｘは、上述の目を９個（３×３で９個）まとめて隠せる程度の大きさとなっている。
【００２３】
そして、最後に、自己修復層２３の全面を覆うようにして、上遮水シート２４を敷設する（図５）。
なお、上遮水シート２４は、下遮水シート２１と同様のものとすることができ、この実施形態では実際そうされている。
これにより、廃棄物処分場１００が完成する。
【００２４】
この実施形態の廃棄物処分場１００は、凹面１０を備え、且つ凹面１０を覆う遮水層２０を備えている。
凹面１０の底面１０Ａに対応する部分の遮水層２０Ａは、下遮水シート２１、長尺材２２、自己修復層２３、上遮水シート２４により、凹面１０の法面１０Ｂに対応する部分の遮水層２０Ｂは、下遮水シート２１、自己修復層２３、上遮水シート２４により、それぞれ構成されることになる。
【００２５】
この実施形態の廃棄物処分場１００の、凹面１０の底面１０Ａに対応する部分の拡大図を図６に示す。
完成直後の廃棄物処分場１００では、底面１０Ａに対応する部分の遮水層２０Ａは、図６（Ａ）で示したようになっている。
この状態で一定の時間が経ち、或いは、凹面１０に廃棄物が投棄されると、自己修復層２３は、自重により又は廃棄物の重さによって長尺材２２に支持された部分を残して沈み込み、図６（Ｂ）で示したような状態となる。なお、このとき、上遮水シート２４もそれに追従して沈み込む。
この状態で、上遮水シート２４に破損２４Ｘが生じ、降雨があると、浸出水Ｗがその破損２４Ｘ部分を通り抜けて、自己修復層２３の上に到達する。このとき、自己修復層２３には、上述の沈み込みにより、長尺材２２で囲まれた格子の目の部分に凹部が形成されているので、その凹部に浸出水Ｗが溜まることになる（図６（Ｃ））。この状態で、しばらくすると、浸出水Ｗは、上述のフィルムを透過し、自己修復材２３Ｘの内部に入り込んで、自己修復材２３Ｘ内の高吸水性樹脂に吸収されることになる。このとき、浸出水Ｗは、その格子を超えた範囲に拡散することはない。
【００２６】
≪第２実施形態≫
この実施形態では、廃棄物投棄用の凹面１０に遮水層２０を設けることで廃棄物処分場２００を構築する方法について説明するとともに、最終的に完成した廃棄物処分場２００の構成を説明することとする。なお、第２実施形態の説明では、第１実施形態と同一の対象には第１実施形態と同一の符号を付し、また、第１実施形態と重複する説明は省略する場合がある。
【００２７】
第２実施形態でも、図１に示したのと同様の廃棄物投棄用の凹面１０に、遮水層２０を設けて廃棄物処分場２００を構築する。
【００２８】
第２実施形態でも、まず、凹面１０に下遮水シート２１を敷設して、図２で示した状態とする。下遮水シート２１は、第１実施形態のものと同様である。
【００２９】
次いで、この下遮水シート２１の上に、自己修復層２３を形成する。この実施形態では、下遮水シート２１の全面を覆うように、自己修復層２３を形成する（図７）。
自己修復層２３は、下遮水シート２１の上に自己修復材２３を多数敷設することで形成する。なお、第２実施形態では、凹面１０の底面１０Ａに対応する部分に配する自己修復材２３Ａと、法面１０Ｂに対応する部分に配する自己修復材２３Ｂとは、異なるものとする。
法面１０Ｂに対応する部分に配する自己修復材２３Ｂは、第１実施形態の自己修復材２３Ｘと同じものである。他方、底面１０Ａに対応する部分に配する自己修復材２３Ａは、以下のようなものである。
【００３０】
この実施形態における自己修復材２３Ａは、図８に示したように、平面視で矩形をしている。自己修復材２３Ａは、矩形にされた中心部２３１と、中心部２３１の４辺に沿うようにして中心部２３１に固定された長尺材２３２とを備えて構成される。
中心部２３１は、第１実施形態における自己修復材２３Ｘと同様に構成される。この実施形態では、図９の断面図に示したように、高吸水性材料２３３を不織布２３４で挟み込み、さらにその不織布２３４の露出する両面を透水性のそれほど大きくないフィルム２３５でコーティングしたものとされている。なお、中心部２３１は、第１実施形態で説明した自己修復材２３Ｘの代替物に置換可能である。
長尺材２３２は、第１実施形態における長尺材２２と同様に構成することができる。この実施形態では、長尺材２３２は、図９に示したように、断面形状が矩形とされている。長尺材２３２は、これには限られないが、この実施形態では膨潤ゴムにて構成されている。長尺材２３２の中心部２３１の厚さ方向の長さ（高さ）は、中心部２３１の厚さと略一致している。
【００３１】
下遮水シート２１の底面１０Ａに対応する部分の上には、上述の如き自己修復材２３Ａを、下遮水シート２１の法面１０Ｂに対応する部分の上には、上述の如き自己修復材２３Ｂを、それぞれ隙間なく敷き詰めることによって、自己修復層２３が形成される。
【００３２】
これにより、下遮水シート２１の底面１０Ａに対応する部分の上には、図１０の平面図に示すように、長尺材２３２が矩形の目を持つ格子状を形成するように配され、且つその内側に中心部２３１が配された状態となる。
【００３３】
そして、最後に、自己修復層２３の全面を覆うようにして、上遮水シート２４を敷設する（図１１）。
なお、上遮水シート２４は、第１実施形態の場合と同様に、下遮水シート２１と同様のものとすることができ、この実施形態では実際そうされている。
これにより、廃棄物処分場２００が完成する。
【００３４】
この実施形態の廃棄物処分場２００は、凹面１０を備え、且つ凹面１０を覆う遮水層２０を備えている。
凹面１０の底面１０Ａに対応する部分の遮水層２０Ａと、凹面１０の法面１０Ｂに対応する部分の遮水層２０Ｂはともに、下遮水シート２１、自己修復層２３、上遮水シート２４により、構成されることとなる。
また、凹面１０の底面１０Ａに対応する部分の遮水層２０Ａの内部には、上述した長尺材２３２が、格子状となるように縦横に走るように配された状態となる。
【００３５】
この実施形態の廃棄物処分場２００の、凹面１０の底面１０Ａに対応する部分の拡大図を図１２に示す。
完成直後の廃棄物処分場２００では、底面１０Ａに対応する部分の遮水層２０Ａは、図１２（Ａ）で示したようになっている。
この状態で一定の時間が経ち、或いは、凹面１０に廃棄物が投棄されると、自己修復層２３のうち中心部２３１によって構成されている部分は、自重により又は廃棄物の重さによって長尺材２３２よりも沈み込み、図１２（Ｂ）で示したような状態となる。なお、このとき、上遮水シート２４も、中心部２３１に追従して沈み込む。
この状態で、上遮水シート２４に破損２４Ｘが生じ、降雨があると、浸出水がその破損２４Ｘ部分を通り抜けて、自己修復層２３の上に到達する。このとき、自己修復層２３には、上述の沈み込みにより、長尺材２３２で囲まれた格子の目の部分に凹部が形成されているので、その凹部に浸出水Ｗが溜まることになる（図１２（Ｃ））。この状態で、しばらくすると、浸出水Ｗは、上述のフィルム２３５を透過し、自己修復材２３Ａの内部に入り込んで、中心部２３１内の高吸水性材料２３３に吸収されることになる。このとき、浸出水Ｗは、その格子を超えた範囲に拡散することはない。
【００３６】
≪第２実施形態の変形例≫
第２実施形態で使用した自己修復材２３Ａに代えて、図１３に示したような、平面視で６角形の自己修復材２３Ｃを用いることもできる。
また、第２実施形態で使用した自己修復材２３Ａに代えて、図１４に示したような自己修復材２３Ｄを用いることもできる。この自己修復材２３Ｄは、自己修復材２３Ａと同様に、平面視で矩形にされており（図１４（Ａ））、また、その内部に長尺材２３２を備えている（図１４（Ａ）、（Ｂ））。この自己修復材２３Ｄは、高吸水性材料２３３を不織布２３４で挟み込み、さらにその不織布２３４の露出する両面を透水性のそれほど大きくないフィルム２３５でコーティングしたものとされているが、自己修復材２３Ｄの厚さ方向の長さ（高さ）が、不織布２３４間の距離と略一致するようなものとされている。この実施形態では、矩形の自己修復材２３Ｄの長辺方向に沿って２本、短辺方向に沿って２本の長尺材２３２が埋め込まれている。このように、自己修復材２３Ｄの内部に長尺材２３２を埋め込むことも可能である。
【図面の簡単な説明】
【００３７】
【図１】本発明の第１実施形態の廃棄物処分場が構築される凹面の一例を示す側断面図。
【図２】図１で示した凹面の上に下遮水シートを敷設した状態を示す側断面図。
【図３】凹面の底面に対応する下遮水シートの上に長尺材を敷設した状態を示す凹面の底面の一部に対応する平面図。
【図４】図２で示した下遮水シートの上に自己修復材を敷設した状態を示す側断面図。
【図５】第１実施形態の廃棄物処分場を示す側断面図。
【図６】（Ａ）は、完成直後の第１実施形態の廃棄物処分場の凹面の底面部分を拡大して示す側断面図、（Ｂ）は、廃棄物処分場に廃棄物の投棄が始まった後の同部分を拡大して示す側断面図、（Ｃ）は、上遮水シートに破損が生じ降雨があった場合における同部分を拡大して示す側断面図。
【図７】第２実施形態の廃棄物処分場となる凹面の上に敷設された下遮水シートの上に自己修復材を敷設した状態を示す側断面図。
【図８】図７で示した自己修復材のうち凹面の底面に対応する部分に敷設されるものを示す平面図。
【図９】図８で示した自己修復材を示す断面図。
【図１０】凹面の底面に対応する下遮水シートの上に自己修復材を敷設した状態を示す凹面の底面の一部に対応する部分の平面図。
【図１１】第２実施形態の廃棄物処分場を示す側断面図。
【図１２】（Ａ）は、完成直後の第２実施形態の廃棄物処分場の凹面の底面部分を拡大して示す側断面図、（Ｂ）は、廃棄物処分場に廃棄物の投棄が始まった後の同部分を拡大して示す側断面図、（Ｃ）は、上遮水シートに破損が生じ降雨があった場合における同部分を拡大して示す側断面図。
【図１３】図７で示した自己修復材のうち凹面の底面に対応する部分に敷設されるものの変形例を示す平面図。
【図１４】（Ａ）は、図７で示した自己修復材のうち凹面の底面に対応する部分に敷設されるものの他の変形例を示す平面図、（Ｂ）は同断面図。
【符号の説明】
【００３８】
１０  凹面
２０  遮水層
２１  下遮水シート
２２  長尺材
２３  自己修復層
２３Ｘ  自己修復材
２３Ａ  自己修復材
２３Ｂ  自己修復材
２３Ｃ  自己修復材
２３Ｄ  自己修復材
２４  上遮水シート
１００  廃棄物処分場
２００  廃棄物処分場
２３１  中心部
２３２  長尺材
２３３  高吸水性材料
２３４  不織布
２３５  フィルム
【図１】
2005230786.tif 000003
【図２】
2005230786.tif 000004
【図３】
2005230786.tif 000005
【図４】
2005230786.tif 000006
【図５】
2005230786.tif 000007
【図６】
2005230786.tif 000008
【図７】
2005230786.tif 000009
【図８】
2005230786.tif 000010
【図９】
2005230786.tif 000011
【図１０】
2005230786.tif 000012
【図１１】
2005230786.tif 000013
【図１２】
2005230786.tif 000014
【図１３】
2005230786.tif 000015
【図１４】
2005230786.tif 000016